(57)【要約】【課題】録画日時に基づくソートを適正に行う。【解決手段】ＨＤＤレコーダ１のＭＰＵ１１は、電力が供給されている期間に対応するカウント値である期間カウント値をカウントするカウント部１１２と、受信部１５を介して受け付けた映像情報を期間カウント値情報と対応付けてＨＤＤ１９に格納する録画実行部１１３と、リモコン３を介して操作入力を受け付けて、ＨＤＤ１９に格納された各映像情報に対して、予め設定された順序に基づいて、ＨＤＤ１９に格納された映像情報の一覧を一覧画面としてディスプレイ２１に表示する一覧表示部１１４と、リモコン３を介して操作入力を受け付けて、ＨＤＤ１９に格納された映像情報を、対応する期間カウント値に基づいて並び換え、その結果の一覧を一覧画面としてディスプレイ２１に表示するソート実行部１１６と、を備えている。【選択図】図２
2008211649.tif 000002
【特許請求の範囲】
【請求項１】
映像情報をＨＤＤに格納すると共に、格納された映像情報を再生しモニタに表示するＨＤＤレコーダであって、
電力が供給されている期間に対応するカウント値である期間カウント値情報を格納するカウント記憶手段と、
前記期間カウント値をカウントし、前記カウント記憶手段に格納するカウント手段と、
外部からの映像情報を受け付けて、受け付けられた映像情報を前記期間カウント値情報と対応付けて前記ＨＤＤに格納する録画実行手段と、
外部から映像情報の一覧を表示する旨の操作入力を受け付けて、前記ＨＤＤに格納された各映像情報に対して、予め設定されたルールに則って順序を付与し、付与された順序に基づいて、前記ＨＤＤに格納された映像情報の一覧を一覧画面としてモニタに表示する一覧表示手段と、
外部から映像情報を並び換える旨の操作入力を受け付けて、前記ＨＤＤに格納された映像情報を、対応する期間カウント値に基づいて並び換え、並び換えられた結果の一覧を一覧画面としてモニタに表示するソート実行手段と、
日時を計測する計時手段と、
外部からの操作入力を受け付けて、受け付けられた操作入力に基づいて、前記一覧画面に、前記期間カウント値を表示するか否かの設定を行う表示設定手段と、
を備え、
前記録画実行手段は、映像情報を前記計時手段によって計測された日時情報と対応付けて前記ＨＤＤに格納し、
前記一覧表示手段及びソート実行手段は、前記一覧画面に、前記ＨＤＤに格納された各映像情報と対応付けて前記日時情報を表示すると共に、前記表示設定手段によって、前記期間カウント値を表示すると設定された場合に、前記一覧画面に、前記ＨＤＤに格納された各映像情報と対応付けて前記期間カウント値情報を表示し、
前記カウント手段は、
電源が投入された時点で前記カウント記憶手段に格納された期間カウント値情報を読み出して、読み出された期間カウント値からカウントを開始し、
電源を遮断する旨の指示情報が受け付けられた場合に、電源が遮断されるまでの期間内に、カウントを終了して、その時点での期間カウント値を前記カウント記憶手段に格納することを特徴とするＨＤＤレコーダ。
【請求項２】
映像情報を記録媒体に格納すると共に、格納された映像情報を再生しモニタに表示する録画再生装置であって、
電力が供給されている期間に対応するカウント値である期間カウント値情報を格納するカウント記憶手段と、
前記期間カウント値をカウントし、前記カウント記憶手段に格納するカウント手段と、
外部からの映像情報を受け付けて、受け付けられた映像情報を前記期間カウント値情報と対応付けて前記記録媒体に格納する録画実行手段と、
外部から映像情報の一覧を表示する旨の操作入力を受け付けて、前記記録媒体に格納された各映像情報に対して、予め設定されたルールに則って順序を付与し、付与された順序に基づいて、前記記録媒体に格納された映像情報の一覧を一覧画面としてモニタに表示する一覧表示手段と、
外部から映像情報を並び換える旨の操作入力を受け付けて、前記記録媒体に格納された映像情報を、対応する期間カウント値に基づいて並び換え、並び換えられた結果の一覧を一覧画面としてモニタに表示するソート実行手段と、
を備えることを特徴とする録画再生装置。
【請求項３】
日時を計測する計時手段を備え、
前記録画実行手段は、映像情報を前記計時手段によって計測された日時情報と対応付けて前記記録媒体に格納し、
前記一覧表示手段及びソート実行手段は、前記一覧画面に、前記記録媒体に格納された各映像情報と対応付けて前記日時情報を表示することを特徴とする請求項２に記載の録画再生装置。
【請求項４】
外部からの操作入力を受け付けて、受け付けられた操作入力に基づいて、前記一覧画面に、前記期間カウント値を表示するか否かの設定を行う表示設定手段を備え、
前記一覧表示手段及びソート実行手段は、前記表示設定手段によって、前記期間カウント値を表示すると設定された場合に、前記一覧画面に、前記記録媒体に格納された各映像情報と対応付けて前記期間カウント値情報を表示することを特徴とする請求項２又は請求項３に記載の録画再生装置。
【請求項５】
前記カウント手段は、
電源が投入された時点で前記カウント記憶手段に格納された期間カウント値情報を読み出して、読み出された期間カウント値からカウントを開始し、
電源を遮断する旨の指示情報が受け付けられた場合に、電源が遮断されるまでの期間内に、カウントを終了して、その時点での期間カウント値を前記カウント記憶手段に格納することを特徴とする請求項２〜請求項４のいずれかに記載の録画再生装置。
【発明の詳細な説明】
【技術分野】
【０００１】
本発明は、映像情報を記録媒体に格納すると共に、格納された映像情報を再生しモニタに表示する録画再生装置に関する。特に、映像情報をＨＤＤ（Ｈａｒｄ  Ｄｉｓｋ  Ｄｒｉｖｅ）に格納すると共に、格納された映像情報を再生しモニタに表示するＨＤＤレコーダに関する。
【背景技術】
【０００２】
近年、映像情報をＨＤＤ等の大容量の記録媒体に格納すると共に、格納された映像情報を再生しモニタに表示するＨＤＤレコーダ等の録画再生装置が普及している。記録媒体の大容量の進展に伴って、記録媒体に格納された多数の番組の中から、ユーザが再生、他の記録媒体へのダビング等を所望する番組を効率的に検索する要求が高まっている。
【０００３】
上記要求を満たすべく、種々の装置、方法等が提案されている。例えば、情報信号を記憶する記憶手段と、該記憶手段に記憶された情報信号を表示手段に表示する表示信号出力手段と、ユーザの指示に応じて、上記記憶手段に記憶された情報信号を検索して上記表示信号出力手段を制御する表示制御手段とを備え、表示制御手段が、ユーザの指示した録画日時を含む分類項目に従い並び換える制御を行う映像記録再生装置が開示されている（特許文献１参照）。
【特許文献１】特開２００４−２１３８３２号公報
【発明の開示】
【発明が解決しようとする課題】
【０００４】
しかしながら、上記映像記録再生装置等の従来の録画再生装置では、録画日時を計測する日付・時刻信号発生回路等に対してユーザが初期値を設定する必要があり、初期値の設定が行われるまでは、出荷時に設定された値（例えば、出荷時を含む年の１月１日０時０分０秒）を保持されるため、録画日時に基づくソートを適正に行うことができない。
【０００５】
また、停電等に起因して長期間に亘って電源が供給されない場合には、録画再生装置で認識している録画日時が、適正な録画日時との差が大きくなり、その結果、録画日時に基づくソートを適正に行うことができない虞がある。
【０００６】
上記の課題に鑑みて、本発明は、録画日時に基づくソートを適正に行うことの可能な録画再生装置及びＨＤＤレコーダを提供することを目的としている。
【課題を解決するための手段】
【０００７】
上記目的を達成するために請求項１に記載のＨＤＤレコーダは、映像情報をＨＤＤに格納すると共に、格納された映像情報を再生しモニタに表示するＨＤＤレコーダであって、
電力が供給されている期間に対応するカウント値である期間カウント値情報を格納するカウント記憶手段と、前記期間カウント値をカウントし、前記カウント記憶手段に格納するカウント手段と、外部からの映像情報を受け付けて、受け付けられた映像情報を前記期間カウント値情報と対応付けて前記ＨＤＤに格納する録画実行手段と、外部から映像情報の一覧を表示する旨の操作入力を受け付けて、前記ＨＤＤに格納された各映像情報に対して、予め設定されたルールに則って順序を付与し、付与された順序に基づいて、前記ＨＤＤに格納された映像情報の一覧を一覧画面としてモニタに表示する一覧表示手段と、外部から映像情報を並び換える旨の操作入力を受け付けて、前記ＨＤＤに格納された映像情報を、対応する期間カウント値に基づいて並び換え、並び換えられた結果の一覧を一覧画面としてモニタに表示するソート実行手段と、日時を計測する計時手段と、外部からの操作入力を受け付けて、受け付けられた操作入力に基づいて、前記一覧画面に、前記期間カウント値を表示するか否かの設定を行う表示設定手段と、を備え、前記録画実行手段が、映像情報を前記計時手段によって計測された日時情報と対応付けて前記ＨＤＤに格納し、前記一覧表示手段及びソート実行手段が、前記一覧画面に、前記ＨＤＤに格納された各映像情報と対応付けて前記日時情報を表示すると共に、前記表示設定手段によって、前記期間カウント値を表示すると設定された場合に、前記一覧画面に、前記ＨＤＤに格納された各映像情報と対応付けて前記期間カウント値情報を表示し、前記カウント手段が、電源が投入された時点で前記カウント記憶手段に格納された期間カウント値情報を読み出して、読み出された期間カウント値からカウントを開始し、電源を遮断する旨の指示情報が受け付けられた場合に、電源が遮断されるまでの期間内に、カウントを終了して、その時点での期間カウント値を前記カウント記憶手段に格納することを特徴としている。
【０００８】
請求項２に記載の録画再生装置は、映像情報を記録媒体に格納すると共に、格納された映像情報を再生しモニタに表示する録画再生装置であって、電力が供給されている期間に対応するカウント値である期間カウント値情報を格納するカウント記憶手段と、前記期間カウント値をカウントし、前記カウント記憶手段に格納するカウント手段と、外部からの映像情報を受け付けて、受け付けられた映像情報を前記期間カウント値情報と対応付けて前記記録媒体に格納する録画実行手段と、外部から映像情報の一覧を表示する旨の操作入力を受け付けて、前記記録媒体に格納された各映像情報に対して、予め設定されたルールに則って順序を付与し、付与された順序に基づいて、前記記録媒体に格納された映像情報の一覧を一覧画面としてモニタに表示する一覧表示手段と、外部から映像情報を並び換える旨の操作入力を受け付けて、前記記録媒体に格納された映像情報を、対応する期間カウント値に基づいて並び換え、並び換えられた結果の一覧を一覧画面としてモニタに表示するソート実行手段と、を備えることを特徴としている。
【０００９】
請求項３に記載の録画再生装置は、請求項２に記載の録画再生装置であって、日時を計測する計時手段を備え、前記録画実行手段が、映像情報を前記計時手段によって計測された日時情報と対応付けて前記記録媒体に格納し、前記一覧表示手段及びソート実行手段は、前記一覧画面に、前記記録媒体に格納された各映像情報と対応付けて前記日時情報を表示することを特徴としている。
【００１０】
請求項４に記載の録画再生装置は、請求項２又は請求項３に記載の録画再生装置であって、外部からの操作入力を受け付けて、受け付けられた操作入力に基づいて、前記一覧画面に、前記期間カウント値を表示するか否かの設定を行う表示設定手段を備え、前記一覧表示手段及びソート実行手段が、前記表示設定手段によって、前記期間カウント値を表示すると設定された場合に、前記一覧画面に、前記記録媒体に格納された各映像情報と対応付けて前記期間カウント値情報を表示することを特徴としている。
【００１１】
請求項５に記載の録画再生装置は、請求項２〜請求項４のいずれかに記載の録画再生装置であって、前記カウント手段が、電源が投入された時点で前記カウント記憶手段に格納された期間カウント値情報を読み出して、読み出された期間カウント値からカウントを開始し、電源を遮断する旨の指示情報が受け付けられた場合に、電源が遮断されるまでの期間内に、カウントを終了して、その時点での期間カウント値を前記カウント記憶手段に格納することを特徴としている。
【発明の効果】
【００１２】
請求項１に記載のＨＤＤレコーダによれば、電力が供給されている期間に対応するカウント値である期間カウント値がカウントされ、カウント記憶手段に、期間カウント値情報が格納される。そして、外部からの映像情報が受け付けられて、受け付けられた映像情報が期間カウント値情報と対応付けてＨＤＤに格納される。また、外部から映像情報の一覧を表示する旨の操作入力が受け付けられて、ＨＤＤに格納された各映像情報に対して、予め設定されたルールに則って順序が付与され、付与された順序に基づいて、ＨＤＤに格納された映像情報の一覧が一覧画面としてモニタに表示される。更に、外部から映像情報を並び換える旨の操作入力が受け付けられて、ＨＤＤに格納された映像情報が、対応する期間カウント値に基づいて並び換えられ、並び換えられた結果の一覧が一覧画面としてモニタに表示されるため、録画日時に基づくソートを適正に行うことができる。
【００１３】
すなわち、録画日時を計測する機能が起動されていない（又は、停電等に起因して狂っている）場合であっても、電力が供給されている期間に対応するカウント値である期間カウント値がカウントされ、ＨＤＤに格納された映像情報が、対応する期間カウント値に基づいて並び換えられ、並び換えられた結果の一覧が一覧画面としてモニタに表示されるため、録画日時に基づくソートを適正に行うことができるのである。
【００１４】
また、日時が計測され、映像情報が計測された日時情報と対応付けられてＨＤＤに格納される。そして、一覧画面に、ＨＤＤに格納された各映像情報と対応付けて日時情報が表示されるため、録画日時に基づくソートを更に適正に行うことができる。
【００１５】
すなわち、録画日時が正確に計測されている場合には、ユーザは、ＨＤＤに格納された各映像情報に対応する録画日時を、一覧画面に表示された日時情報によって視認することができるため、録画日時に基づくソートの結果が正しいことを表示された日時情報によって確認することができるので、録画日時に基づくソートを更に適正に行うことができるのである。
【００１６】
更に、外部からの操作入力が受け付けられて、受け付けられた操作入力に基づいて、一覧画面に、期間カウント値を表示するか否かの設定が行われる。そして、期間カウント値を表示すると設定された場合に、一覧画面に、ＨＤＤに格納された各映像情報と対応付けて期間カウント値情報が表示されるため、録画日時に基づくソートを利便性良好に行うことができる。
【００１７】
すなわち、ユーザが録画日時に基づくソート結果が正しいことを確認したい場合には、期間カウント値を表示すると設定することによって、一覧画面に、ＨＤＤに格納された各映像情報と対応付けて期間カウント値情報が表示されるため、録画日時に基づくソートを利便性良好に行うことができるのである。
【００１８】
加えて、電源が投入された時点でカウント記憶手段に格納された期間カウント値情報が読み出されて、読み出された期間カウント値からカウントが開始され、電源を遮断する旨の指示情報が受け付けられた場合に、電源が遮断されるまでの期間内に、カウントが終了されて、その時点での期間カウント値がカウント記憶手段に格納されるため、簡素な構成で効率的に期間カウント値をカウントすることができる。
【００１９】
すなわち、電源が投入された時点でカウント記憶手段に格納された期間カウント値情報が読み出されて、電源を遮断する旨の指示情報が受け付けられた場合に、その時点での期間カウント値がカウント記憶手段に格納されるため、カウント記憶手段からの期間カウント値情報の読み出し、及び、書き込みの頻度が最小限度となるので、簡素な構成で効率的に期間カウント値をカウントすることができるのである。
【００２０】
請求項２に記載の録画再生装置によれば、電力が供給されている期間に対応するカウント値である期間カウント値がカウントされ、カウント記憶手段に、期間カウント値情報が格納される。そして、外部からの映像情報が受け付けられて、受け付けられた映像情報が期間カウント値情報と対応付けて記録媒体に格納される。また、外部から映像情報の一覧を表示する旨の操作入力が受け付けられて、記録媒体に格納された各映像情報に対して、予め設定されたルールに則って順序が付与され、付与された順序に基づいて、記録媒体に格納された映像情報の一覧が一覧画面としてモニタに表示される。更に、外部から映像情報を並び換える旨の操作入力が受け付けられて、記録媒体に格納された映像情報が、対応する期間カウント値に基づいて並び換えられ、並び換えられた結果の一覧が一覧画面としてモニタに表示されるため、録画日時に基づくソートを適正に行うことができる。
【００２１】
すなわち、録画日時を計測する機能が起動されていない（又は、停電等に起因して狂っている）場合であっても、電力が供給されている期間に対応するカウント値である期間カウント値がカウントされ、記録媒体に格納された映像情報が、対応する期間カウント値に基づいて並び換えられ、並び換えられた結果の一覧が一覧画面としてモニタに表示されるため、録画日時に基づくソートを適正に行うことができるのである。
【００２２】
請求項３に記載の録画再生装置によれば、日時が計測され、映像情報が計測された日時情報と対応付けられて記録媒体に格納される。そして、一覧画面に、記録媒体に格納された各映像情報と対応付けて日時情報が表示されるため、録画日時に基づくソートを更に適正に行うことができる。
【００２３】
すなわち、録画日時が正確に計測されている場合には、ユーザは、記録媒体に格納された各映像情報に対応する録画日時を、一覧画面に表示された日時情報によって視認することができるため、録画日時に基づくソートの結果が正しいことを表示された日時情報によって確認することができるので、録画日時に基づくソートを更に適正に行うことができるのである。
【００２４】
請求項４に記載の録画再生装置によれば、外部からの操作入力が受け付けられて、受け付けられた操作入力に基づいて、一覧画面に、期間カウント値を表示するか否かの設定が行われる。そして、期間カウント値を表示すると設定された場合に、一覧画面に、記録媒体に格納された各映像情報と対応付けて期間カウント値情報が表示されるため、録画日時に基づくソートを利便性良好に行うことができる。
【００２５】
すなわち、ユーザが録画日時に基づくソート結果が正しいことを確認したい場合には、期間カウント値を表示すると設定することによって、一覧画面に、記録媒体に格納された各映像情報と対応付けて期間カウント値情報が表示されるため、録画日時に基づくソートを利便性良好に行うことができるのである。
【００２６】
請求項５に記載の録画再生装置によれば、電源が投入された時点でカウント記憶手段に格納された期間カウント値情報が読み出されて、読み出された期間カウント値からカウントが開始され、電源を遮断する旨の指示情報が受け付けられた場合に、電源が遮断されるまでの期間内に、カウントが終了されて、その時点での期間カウント値がカウント記憶手段に格納されるため、簡素な構成で効率的に期間カウント値をカウントすることができる。
【００２７】
すなわち、電源が投入された時点でカウント記憶手段に格納された期間カウント値情報が読み出されて、電源を遮断する旨の指示情報が受け付けられた場合に、その時点での期間カウント値がカウント記憶手段に格納されるため、カウント記憶手段からの期間カウント値情報の読み出し、及び、書き込みの頻度が最小限度となるので、簡素な構成で効率的に期間カウント値をカウントすることができるのである。
【発明を実施するための最良の形態】
【００２８】
以下に本発明の実施形態を、図面を参照しながら説明する。図１は、本発明に係るＨＤＤレコーダの構成の一例を示すブロック図である。ＨＤＤレコーダ１（録画再生装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２９】
ＨＤＤレコーダ１は、リモコン３を介してユーザからの操作入力を受け付けて、受け付けた操作入力に基づいて、テレビジョン放送を受信し、受信した映像情報、音声情報を含む番組情報を後述するＨＤＤ１９に格納するものである。また、ＨＤＤレコーダ１は、後述するＨＤＤ１９に格納された番組情報を読み出して再生し、出力装置２に対して映像及び音声を出力するものである。
【００３０】
出力装置２は、ディスプレイ２１及びスピーカ２２を備え、ＨＤＤレコーダ１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報を外部から視認可能に表示するものである。スピーカ２２は、ＨＤＤレコーダ１から入力された音声情報を出力するものである。
【００３１】
リモコン３（一覧表示手段の一部、表示設定手段の一部、ソート実行手段の一部に相当する）は、ユーザからの操作入力を受け付けて、受け付けられた操作入力に対応する赤外線信号を生成して、ＨＤＤレコーダ１（後述するＭＰＵ１１）に対して出力するものである。
【００３２】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００３３】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（録画実行手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３９】
ＨＤＤ（Ｈａｒｄ  Ｄｉｓｋ  Ｄｒｉｖｅ）１９は、ＭＰＵ１からの指示に従って映像情報、音声情報等の種々の情報を格納するものである。
【００４０】
次に、ＨＤＤレコーダ１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４１】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００４２】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４３】
図２は、本発明に係るＨＤＤレコーダ１における主要部の構成の一例を示す機能構成図である。ＭＰＵ１１は、機能的に、計時部１１１、カウント部１１２、録画実行部１１３、一覧表示部１１４、表示設定部１１５、及び、ソート実行部１１６を備えている。また、ＨＤＤ１９は、機能的に、カウント記憶部１９１、及び、映像情報記憶部１９２を備えている。
【００４４】
ここでは、ＭＰＵ１１が、図１に示すＲＯＭ１３等に予め格納されたプログラムを読み出して実行することにより、計時部１１１、カウント部１１２、録画実行部１１３、一覧表示部１１４、表示設定部１１５、ソート実行部１１６等の機能部として機能すると共に、ＨＤＤ１９を、カウント記憶部１９１、映像情報記憶部１９２等の機能部として機能させるものである。
【００４５】
また、図１に示すＲＡＭ１２又はＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４６】
カウント記憶部１９１（カウント記憶手段に相当する）は、カウント部１１２によってカウントされ、電力が供給されている期間に対応するカウント値である期間カウント値情報を格納するものである。ここでは、期間カウント値は、予め初期値が「０」に設定され、カウント部１１２によって１秒毎にカウントアップされるものである。また、カウント記憶部１９１は、期間カウント値情報を格納する領域として３２ビットの記憶容量（＝約１３６年間カウント可能な容量）が設定されているものである。
【００４７】
映像情報記憶部１９２は、録画実行部１１３からの指示に従って、受信部１５を介して受信された映像情報を含む番組情報を、カウント部１１２によってカウントされた期間カウント値情報、及び、計時部１１１によって計測された日時情報と対応付けて格納するものである。
【００４８】
計時部１１１（計時手段に相当する）は、時計機能を備え、日時を計測するものである。また、計時部１１１は、リモコン３を介して、ユーザからの初期値の設定を受け付けるものであって、初期値の設定が行われるまでは、出荷時に設定された値（例えば、２００７年の１月１日０時０分０秒）を保持するものである。
【００４９】
カウント部１１２（カウント手段に相当する）は、電力が供給されている期間に対応するカウント値である期間カウント値を所定期間毎（ここでは、１秒毎）にカウントし、カウント記憶部１９１に格納するものである。具体的には、カウント部１１２は、電源が投入された時点でカウント記憶部１９１に格納された期間カウント値情報を読み出して、読み出された期間カウント値からカウントを開始し、電源を遮断する旨の指示情報が受け付けられた場合に、電源が遮断されるまでの期間内に、カウントを終了して、その時点での期間カウント値をカウント記憶部１９１に格納する（＝書き込む）ものである。
【００５０】
録画実行部１１３（録画実行手段の一部に相当する）は、受信部１５を介して映像情報を含む番組情報を受け付けて、受け付けられた番組情報を、カウント部１１２によってカウントされた期間カウント値情報、及び、計時部１１１によって計測された日時情報と対応付けて映像情報記憶部１９２に格納するものである。
【００５１】
一覧表示部１１４（一覧表示手段の一部に相当する）は、リモコン３を介してユーザからの映像情報の一覧を表示する旨の操作入力を受け付けて、映像情報記憶部１９２に格納された各映像情報に対して、予め設定されたルールに則って順序を付与し、付与された順序に基づいて、映像情報記憶部１９２に格納された映像情報の一覧を一覧画面（図５参照）としてディスプレイ２１に表示するものである。
【００５２】
また、一覧表示部１１４は、一覧画面に、映像情報記憶部１９２に格納された各映像情報と対応付けて日時情報を表示すると共に、表示設定部１１５によって、期間カウント値を表示すると設定された場合に、一覧画面に、映像情報記憶部１９２に格納された各映像情報と対応付けて期間カウント値情報を表示するものである。
【００５３】
表示設定部１１５（表示設定手段の一部に相当する）は、リモコン３を介してユーザからの操作入力を受け付けて、受け付けられた操作入力に基づいて、一覧画面に、期間カウント値を表示するか否かの設定を行うものである。
【００５４】
ソート実行部１１６（ソート実行手段の一部に相当する）は、ディスプレイ２１に後述するソート設定画面（図５（ｂ）参照）を表示して、リモコン３を介してユーザからの映像情報を並び換える旨の操作入力を受け付けて、映像情報記憶部１９２に格納された映像情報を、対応する期間カウント値に基づいて並び換え、並び換えられた結果の一覧を一覧画面としてディスプレイ２１に表示するものである。
【００５５】
なお、ここでは、ソート実行部１１６は、リモコン３を介してユーザからの映像情報を並び換える旨の操作入力を受け付けた場合に、更に、リモコン３を介してユーザから、録画日時に基づいて並び換えるか、又は、タイトル（＝映像情報の番組情報に含まれる番組名）に基づいて並び換えるかの設定を受け付けるものである（図５（ｂ）参照）。また、録画日時に基づいて並び換えると設定された場合には、ソート実行部１１６は、映像情報記憶部１９２に格納された映像情報を、対応する期間カウント値に基づいて並び換えるものである。更に、タイトルに基づいて並び換えると設定された場合には、ソート実行部１１６は、映像情報記憶部１９２に格納された映像情報を、対応するタイトル情報に基づいて並び換えるものである。
【００５６】
また、ソート実行部１１６は、一覧画面に、映像情報記憶部１９２に格納された各映像情報と対応付けて日時情報を表示すると共に、表示設定部１１５によって、期間カウント値を表示すると設定された場合に、一覧画面に、映像情報記憶部１９２に格納された各映像情報と対応付けて期間カウント値情報を表示するものである。
【００５７】
図３は、カウント部１１２によって実行される期間カウント値のカウント処理の一例を示すフローチャートである。なお、以下の処理は、全てカウント部１１２によって実行される。まず、電源が投入されたか否かの判定が行われる（Ｓ１０１）。電源が投入されていないと判定された場合（Ｓ１０１でＮＯ）には、処理が待機状態とされる。電源が投入されたと判定された場合（Ｓ１０１でＹＥＳ）には、カウント記憶部１９１に格納された期間カウント値情報が読み出される（Ｓ１０３）。そして、期間カウント値のカウントアップが行われる（Ｓ１０５）。
【００５８】
次に、電源を遮断する旨の指示情報が受け付けられたか否かの判定が行われる（Ｓ１０７）。電源を遮断する旨の指示情報が受け付けられていないと判定された場合（Ｓ１０７でＮＯ）には、処理が待機状態とされる。電源を遮断する旨の指示情報が受け付けられたと判定された場合（Ｓ１０７でＹＥＳ）には、期間カウント値情報がカウント記憶部１９１に書き込まれる（Ｓ１０９）。そして、電源が遮断される（Ｓ１１１）。
【００５９】
図４は、ソート実行部１１６等によって実行される映像情報を並び換える処理であるソート処理の一例を示すフローチャートである。なお、ここでは、便宜上、表示設定部１１５によって予め一覧画面に、期間カウント値を表示するか否かの設定が行われている場合について説明する。まず、一覧表示部１１４によって、映像情報の一覧を表示する旨の操作入力が受け付けられたか否かの判定が行われる（Ｓ２０１）。
【００６０】
映像情報の一覧を表示する旨の操作入力が受け付けられていないと判定された場合（Ｓ２０１でＮＯ）には、処理が待機状態とされる。映像情報の一覧を表示する旨の操作入力が受け付けられたと判定された場合（Ｓ２０１でＹＥＳ）には、一覧表示部１１４によって、表示設定部１１５により期間カウント値を表示すると設定されているかいなかの判定が行われる（Ｓ２０３）。
【００６１】
期間カウント値を表示すると設定されている場合（Ｓ２０３でＹＥＳ）には、一覧表示部１１４によって、期間カウント値を含む一覧画面（図５参照）がディスプレイ２１に表示される（Ｓ２０５）。期間カウント値を表示しないと設定されている場合（Ｓ２０３でＮＯ）には、一覧表示部１１４によって、期間カウント値を含まない一覧画面がディスプレイ２１に表示される（Ｓ２０７）。
【００６２】
ステップＳ２０５又はステップＳ２０７の処理が終了した場合には、ソート実行部１１６によって、映像情報を並び換える旨の操作入力が受け付けられたか否かの判定が行われる（Ｓ２０９）。映像情報を並び換える旨の操作入力が受け付けられていないと判定された場合（Ｓ２０９でＮＯ）には、処理が待機状態とされる。映像情報を並び換える旨の操作入力が受け付けられたと判定された場合（Ｓ２０９でＹＥＳ）には、ソート実行部１１６によって、期間カウント値に基づいて並び換えるか否かの判定が行われる（Ｓ２１１）。
【００６３】
期間カウント値に基づいて並び換えると判定された場合（Ｓ２１１でＹＥＳ）には、ソート実行部１１６によって、映像情報記憶部１９２に格納された映像情報が、対応する期間カウント値に基づいて並び換えられる（Ｓ２１３）。期間カウント値に基づいて並び換えないと判定された場合（Ｓ２１１でＮＯ）には、ソート実行部１１６によって、映像情報記憶部１９２に格納された映像情報が、対応するタイトルに基づいて並び換えられる（Ｓ２１５）。ステップＳ２１３又はステップＳ２１５の処理が終了した場合には、ソート実行部１１６によって、並び換えられた結果の一覧が一覧画面としてディスプレイ２１に表示され（Ｓ２１７）、処理が終了される。
【００６４】
図５は、図４に示すフローチャートのステップＳ２０５でディスプレイ２１に表示される一覧画面、及び、ステップＳ２１１でディスプレイ２１に表示されるソート設定画面の一例を示す画面図である。（ａ）は、図４に示すフローチャートのステップＳ２０５でディスプレイ２１に表示される一覧画面９００であり、（ｂ）は、ステップＳ２１１でディスプレイ２１に表示されるソート設定画面９１０である。
【００６５】
一覧画面９００には、画面略中央部に一覧表が表示され、一覧表には左側から順に、タイトル表示部９０１、録画日時表示部９０２、カウント値表示部９０３が表示されている。また、画面上部左側には、縮小画像表示部９０４が表示されている。タイトル表示部９０１は、映像情報記憶部１９２に格納された映像情報に対応するタイトル情報を表示するものである。録画日時表示部９０２は、映像情報記憶部１９２に格納された映像情報に対応する日時情報を表示するものである。カウント値表示部９０３は、映像情報記憶部１９２に格納された映像情報に対応する期間カウント値情報を表示するものである。なお、ここでは、カウント値表示部９０３には、期間カウント値が「分」に換算されて表示されている。縮小画像表示部９０４は、選択状態にある映像情報に対応する縮小画像（又は縮小動画像）を表示するものである。
【００６６】
ソート設定画面９１０には、一覧画面９００と同様に、画面略中央部に一覧表が表示され、一覧表には左側から順に、タイトル表示部９１１、録画日時表示部９１２、カウント値表示部９１３が表示され、画面上部左側に、縮小画像表示部９１４が表示されている。また、ソート設定画面９１０には、画面略中央部に処理選択表示部９１５が表示され、処理選択表示部９１５の右側に、ソート条件選択表示部９１６が表示されている。処理選択表示部９１５は、ソート実行部１１６によってリモコン３の予め設定された所定のキー（例えば、決定キー等）に対応する信号が受け付けられた場合に表示されるものであって、選択可能な処理の内容を示す文字情報（ここでは、「再生」、「タイトル並び換え」等）が選択可能に表示されるものである。
【００６７】
ソート条件選択表示部９１６は、処理選択表示部９１５が表示された、「タイトル並び換え」が選択された状態で、ソート実行部１１６によってリモコン３の予め設定された所定のキー（例えば、右矢印キー等）に対応する信号が受け付けられた場合に表示されるものであって、並び換えの方法の内容を示す文字情報（ここでは、「タイトル名で並び換え」、「録画日時で並び換え」）が選択可能に表示されるものである。
【００６８】
図６は、図４に示すフローチャートのステップＳ２１７でディスプレイ２１に表示される一覧画面の一例を示す画面図である。（ａ）は、図５（ａ）に示す一覧画面９００の一覧表が日時に基づいて並び換えられた場合（＝従来の方法で並び換えられた場合）にディスプレイ２１に表示される一覧画面９２０であって、（ｂ）は、図５（ａ）に示す一覧画面９００の一覧表が期間カウント値に基づいて並び換えられた場合（＝本発明の方法で並び換えられた場合）にディスプレイ２１に表示される一覧画面９３０である。
【００６９】
一覧画面９２０には、一覧画面９００と同様に、画面略中央部に一覧表が表示され、一覧表には左側から順に、タイトル表示部９２１、録画日時表示部９２２、カウント値表示部９２３が表示され、画面上部左側に、縮小画像表示部９２４が表示されている。日時に基づいて並び換えられた結果、上から順に、録画日時表示部９２２に表示された日時が新しい順に並び換えられ、一覧画面９００と比較して、タイトルが「ＤＤＤ」の映像情報と、タイトルが「ＣＣＣ」の映像情報とが入れ替えられて表示されている。
【００７０】
しかしながら、ここでは、録画日時表示部９２２に表示された日時情報が正しくない（＝タイトルが「ＡＡＡ」と、タイトルが「ＢＢＢ」とに対応する映像情報は、初期値の設定が行われる前に録画されたため、日時が「２００７年１月１日０時０分０秒」となっている）ため、日時情報に基づいて並び換えられた場合には、適正に並び換えることができない。
【００７１】
一覧画面９３０には、一覧画面９００と同様に、画面略中央部に一覧表が表示され、一覧表には左側から順に、タイトル表示部９３１、録画日時表示部９３２、カウント値表示部９３３が表示され、画面上部左側に、縮小画像表示部９３４が表示されている。期間カウント値に基づいて並び換えられた結果、上から順に、カウント値表示部９３３に表示されたカウント値が大きい順（＝新しい順）に並び換えられ、タイトルが「ＤＤＤ」、「ＣＣＣ」、「ＢＢＢ」、「ＡＡＡ」の順に映像情報が表示されている。
【００７２】
このようにして、電力が供給されている期間に対応するカウント値である期間カウント値がカウントされ、カウント記憶部１９１に、期間カウント値情報が格納される。そして、受信部１５を介して映像情報が受け付けられて、受け付けられた映像情報が期間カウント値情報と対応付けて映像情報記憶部１９２に格納される。また、リモコン３を介してユーザからの映像情報の一覧を表示する旨の操作入力が受け付けられて、映像情報記憶部１９２に格納された各映像情報に対して、予め設定されたルールに則って（例えば、タイトルに基づいて）順序が付与され、付与された順序に基づいて、映像情報記憶部１９２に格納された映像情報の一覧が図５（ａ）に示す一覧画面９００としてディスプレイ２１に表示される。更に、リモコン３を介してユーザからの映像情報を並び換える旨の操作入力が受け付けられて、映像情報記憶部１９２に格納された映像情報が、対応する期間カウント値に基づいて並び換えられ、並び換えられた結果の一覧が図６（ｂ）に示す一覧画面９３０としてディスプレイ２１に表示されるため、録画日時に基づくソートを適正に行うことができる。
【００７３】
すなわち、録画日時を計測する機能が起動されていない（又は、停電等に起因して狂っている）場合であっても、電力が供給されている期間に対応するカウント値である期間カウント値がカウントされ、映像情報記憶部１９２に格納された映像情報が、対応する期間カウント値に基づいて並び換えられ、並び換えられた結果の一覧が図６（ｂ）に示す一覧画面９３０としてディスプレイ２１に表示されるため、録画日時に基づくソートを適正に行うことができるのである。
【００７４】
また、日時が計測され、映像情報が計測された日時情報と対応付けられて映像情報記憶部１９２に格納される。そして、一覧画面（図５（ａ）に示す一覧画面９００、図６（ｂ）に示す一覧画面９３０）に、映像情報記憶部１９２に格納された各映像情報と対応付けて日時情報が表示されるため、録画日時に基づくソートを更に適正に行うことができる。
【００７５】
すなわち、録画日時が正確に計測されている場合には、ユーザは、映像情報記憶部１９２に格納された各映像情報に対応する録画日時を、一覧画面（図５（ａ）に示す一覧画面９００、図６（ｂ）に示す一覧画面９３０）に表示された日時情報によって視認することができるため、録画日時に基づくソートの結果が正しいことを表示された日時情報によって確認することができるので、録画日時に基づくソートを更に適正に行うことができるのである。
【００７６】
更に、リモコン３を介してユーザからの操作入力が受け付けられて、受け付けられた操作入力に基づいて、一覧画面（図５（ａ）に示す一覧画面９００、図６（ｂ）に示す一覧画面９３０）に、期間カウント値を表示するか否かの設定が行われる。そして、期間カウント値を表示すると設定された場合に、一覧画面（図５（ａ）に示す一覧画面９００、図６（ｂ）に示す一覧画面９３０）に、映像情報記憶部１９２に格納された各映像情報と対応付けて期間カウント値情報が表示されるため、録画日時に基づくソートを利便性良好に行うことができる。
【００７７】
すなわち、ユーザが録画日時に基づくソート結果が正しいことを確認したい場合には、期間カウント値を表示すると設定することによって、一覧画面（図５（ａ）に示す一覧画面９００、図６（ｂ）に示す一覧画面９３０）に、映像情報記憶部１９２に格納された各映像情報と対応付けて期間カウント値情報が表示されるため、録画日時に基づくソートを利便性良好に行うことができるのである。
【００７８】
加えて、電源が投入された時点でカウント記憶部１９１に格納された期間カウント値情報が読み出されて、読み出された期間カウント値からカウントが開始され、電源を遮断する旨の指示情報が受け付けられた場合に、電源が遮断されるまでの期間内に、カウントが終了されて、その時点での期間カウント値がカウント記憶部１９１に格納されるため、簡素な構成で効率的に期間カウント値をカウントすることができる。
【００７９】
すなわち、電源が投入された時点でカウント記憶部１９１に格納された期間カウント値情報が読み出されて、電源を遮断する旨の指示情報が受け付けられた場合に、その時点での期間カウント値がカウント記憶部１９１に格納されるため、カウント記憶部１９１からの期間カウント値情報の読み出し、及び、書き込みの頻度が最小限度となるので、簡素な構成で効率的に期間カウント値をカウントすることができるのである。
【００８０】
なお、本発明は、以下の形態にも適用可能である。
（Ａ）本実施形態では、録画再生装置がＨＤＤレコーダ１である場合について説明したが、録画再生装置が映像情報を記録媒体に格納すると共に、格納された映像情報を再生して表示する装置であればよい。例えば、録画再生装置が映像情報をＨＤＤ等の記録媒体に格納し、格納された映像情報を再生可能に構成されたパーソナルコンピュータである形態でもよい。
【００８１】
（Ｂ）本実施形態では、記録媒体がＨＤＤ１９である場合について説明したが、記録媒体がその他の種類の記録媒体である形態でもよい。例えば、記録媒体が、ＤＶＤ（Ｄｉｇｉｔａｌ  Ｖｅｒｓａｔｉｌｅ  Ｄｉｓｋ）等の光ディスクである形態でもよいし、フレキシブルディスク、半導体メモリ等である形態でもよい。
【００８２】
（Ｃ）本実施形態では、ＭＰＵ１１が、計時部１１１、カウント部１１２、録画実行部１１３、一覧表示部１１４、表示設定部１１５、及び、ソート実行部１１６として機能する場合について説明したが、少なくとも１の機能部（例えば、計時部１１１等）が回路によって実現されている形態でもよい。
【００８３】
（Ｄ）本実施形態では、カウント記憶部１９１がＨＤＤ１９に機能部として構成されている場合について説明したが、カウント記憶部１９１がフラッシュメモリ等の不揮発性のメモリに構成されている形態でもよい。
【図面の簡単な説明】
【００８４】
【図１】は、本発明に係るＨＤＤレコーダの一例を示す構成図である。
【図２】は、本発明に係るＨＤＤレコーダにおける主要部の構成の一例を示す機能構成図である。
【図３】は、カウント部によって実行される期間カウント値のカウント処理の一例を示すフローチャートである。
【図４】は、ソート実行部等によって実行される映像情報を並び換える処理であるソート処理の一例を示すフローチャートである。
【図５】は、図４に示すフローチャートのステップＳ２０５でディスプレイに表示される一覧画面、及び、ステップＳ２１１でディスプレイに表示されるソート設定画面の一例を示す画面図である。
【図６】は、図４に示すフローチャートのステップＳ２１７でディスプレイに表示される一覧画面の一例を示す画面図である。
【符号の説明】
【００８５】
１    ＨＤＤレコーダ（録画再生装置）
１１    ＭＰＵ
１１１    計時部（計時手段）
１１２    カウント部（カウント手段）
１１３    録画実行部（録画実行手段の一部）
１１４    一覧表示部（一覧表示手段の一部）
１１５    表示設定部（表示設定手段の一部）
１１６    ソート実行部（ソート実行手段の一部）
１５    受信部（録画実行手段の一部）
１９    ＨＤＤ
１９１    カウント記憶部（カウント記憶手段）
１９２    映像情報記憶部
２    出力装置
２１    ディスプレイ（モニタ）
３    リモコン（一覧表示手段の一部、表示設定手段の一部、ソート実行手段の一部）
【図１】
2008211649.tif 000003
【図２】
2008211649.tif 000004
【図３】
2008211649.tif 000005
【図４】
2008211649.tif 000006
【図５】
2008211649.tif 000007
【図６】
2008211649.tif 000008